(57)【要約】【課題】押圧部の押し込み操作により容器の内容物の吐出する機能を備えたキャップを含んでなる蓋装置において、この機能を利用して容器の開封を適切になせるようにする。【解決手段】中栓１には薄肉の破断可能部分１３１が形成されている。キャップ２には弾性変形によりキャップ２の内方に押し込み操作可能な押圧部２０３ｄとこの押圧部２０３ｄの押し込みによって容器Ｂの内容物を吐出する吐出部２０３ｂとが備えられている。キャップ２と中栓１との間には、押圧部２０３ｄの押し込み操作によって容器Ｂの内方に向けて移動する連係部材２０３ｇが備えられている。押圧部２０３ｄの最初の押し込み操作時に移動される前記連係部材２０３ｇにより前記破断可能部分１３１を破断させて容器Ｂ内の空間とキャップ２内の空間とを連通させる。【選択図】図２
2011235941.tif 000002
【特許請求の範囲】
【請求項１】
容器の口部に嵌められる中栓と、この口部に被装されるキャップとを備えてなる蓋装置であって、
中栓には薄肉の破断可能部分が形成されており、
キャップには、弾性変形によりキャップの内方に押し込み操作可能な押圧部と、この押圧部の押し込みによって容器の内容物を吐出する吐出部とが備えられており、
キャップと中栓との間には、押圧部の押し込み操作によって容器の内方に向けて移動する連係部材が備えられており、
押圧部の最初の押し込み操作時に移動される前記連係部材により前記破断可能部分を破断させて容器内の空間とキャップ内の空間とを連通させるようになっていることを特徴とする蓋装置。
【請求項２】
中栓における破断可能部分により分断される箇所の少なくとも一方が、この破断可能部分の破断後にこれを閉じる位置に向けて弾性復帰するようになっていることを特徴とする請求項１に記載の蓋装置。
【請求項３】
破断可能部分が、容器の中心軸を巡り且つ溝始端と溝終端とを備えた中栓の底部に形成された溝であることを特徴とする請求項１又は請求項２に記載の蓋装置。
【請求項４】
連係部材は、キャップ及び中栓の双方又はいずれか一方に一体に備えられて容器の中心軸方向に延びる長尺体であることを特徴とする請求項１〜請求項３のいずれか１項に記載の蓋装置。
【請求項５】
連係部材はキャップの押圧部から下方に突出されていると共に、中栓にこの連係部材の下端のガイド部が設けられていることを特徴とする請求項４に記載の蓋装置。
【発明の詳細な説明】
【技術分野】
【０００１】
この発明は、キャップの一部の押圧操作によって容器の内容物を外部に吐出するように機能する蓋装置の改良に関する。
【背景技術】
【０００２】
弾性圧潰部の圧潰操作により排液筒から容器内の液体を吐出する機能を備えた容器蓋がある。（特許文献１参照）通常、この種の容器蓋の取り付けられる容器の口部には別途の中栓が嵌められており、容器の利用にあたっては容器蓋を外して中栓を取り外しこの後改めて容器の口部に容器蓋を取り付ける必要があった。
【０００３】
容器の口部に螺装された蓋本体を螺進させることで、この蓋本体の天板から垂下されて中栓開封手段の鋭部を持って中栓を開封させるようにしたキャップもあるが、（特許文献２参照）かかる蓋本体の螺進操作はこの蓋本体の本来の機能とは無縁のものである。
【先行技術文献】
【特許文献】
【０００４】
【特許文献１】実用新案登録第２５５８８６８号公報
【特許文献２】特許第４２９７５４２号公報
【発明の概要】
【発明が解決しようとする課題】
【０００５】
この発明が解決しようとする主たる問題点は、押圧部の押し込み操作により容器の内容物の吐出する機能を備えたキャップを含んでなる蓋装置において、この機能を利用して容器の開封を適切になせるようにする点にある。
【課題を解決するための手段】
【０００６】
前記課題を達成するために、この発明にあっては、蓋装置を、容器の口部に嵌められる中栓と、この口部に被装されるキャップとを備えてなる蓋装置であって、
中栓には薄肉の破断可能部分が形成されており、
キャップには、弾性変形によりキャップの内方に押し込み操作可能な押圧部と、この押圧部の押し込みによって容器の内容物を吐出する吐出部とが備えられており、
キャップと中栓との間には、押圧部の押し込み操作によって容器の内方に向けて移動する連係部材が備えられており、
押圧部の最初の押し込み操作時に移動される前記連係部材により前記破断可能部分を破断させて容器内の空間とキャップ内の空間とを連通させるものとした。
【０００７】
キャップの押圧部の最初の押し込み操作をする前は、中栓により容器内の空間とキャップ内の空間とは区分され、キャップの吐出部から容器の内容物が外部に吐出されることはない。キャップの最初の押し込み操作をすると、容器の内方に向けて移動される連係部材によって中栓の一部を押圧して前記破断可能部分を破断させることができる。そしてこれにより破断された破断可能部を通じて、容器内の空間とキャップ内の空間とを押圧部の機能を利用して中栓を取り外すことなくワンタッチで連通させることができる。このようにかかる二つの空間が連通された後は、容器の口部を下にした状態から押圧部を押し込み操作することで、容器側の圧力を高くして吐出部から内容物を吐出させることができる。
【０００８】
前記中栓における破断可能部分により分断される箇所の少なくとも一方が、この破断可能部分の破断後にこれを閉じる位置に向けて弾性復帰するようにしておけば、容器内の空間とキャップ内の空間とを押圧部の機能を利用して連通させた後に中栓にいわば弁的な機能を持たせることができ、容器の押圧部を押し込み操作しない限り容器の内容物がキャップ内にできるだけ入り込まないようにすることができる。
【０００９】
前記破断可能部分を、容器の中心軸を巡り且つ溝始端と溝終端とを備えた中栓の底部に形成された溝とするようにすれば、その破断時にはキャップ内の空間と容器内の空間とを広い範囲で連通させ合わせることが可能となる。
【００１０】
前記連係部材を、キャップ及び中栓の双方又はいずれか一方に一体に備えられて容器の中心軸方向に延びる長尺体とするようにすれば、キャップの押圧部の押し込み操作にこの連係部材が支障を生じさせることはなく、また、この連係部材に所用の剛性を付与させることができる。
【００１１】
前記連係部材をキャップの押圧部から下方に突出させると共に、中栓にこの連係部材の下端のガイド部を設けさせるようにしておけば、キャップの押圧部を押し込み操作したときに前記連係部材が必ず中栓の所定の箇所を所定の大きさの力で下方に押圧するようにすることができ、押圧部の最初の押し込み操作により破断可能部分を適切に破断させることが可能とされる。
【発明の効果】
【００１２】
この発明によれば、押圧部の押し込み操作により容器の内容物の吐出する機能を備えたキャップを含んでなる蓋装置のこの機能を利用して中栓によるこの容器の封止の解除を適切になすことができる。
【図面の簡単な説明】
【００１３】
【図１】図１は蓋装置を容器に取り付けた状態の斜視図であり、蓋装置を構成するキャップのカバーを開いた状態を示している。
【図２】図２は蓋装置を容器に取り付けた状態の要部断面図である。
【図３】図３は蓋装置を容器に取り付けた状態の図２と異なる位置での要部断面図である。
【図４】図４は蓋装置の要部断面斜視図であり、中栓とキャップはこれらを容器の取り付けたときに位置される位置において表している。
【図５】図５は蓋装置を構成する中栓の斜視図である。
【図６】図６は蓋装置を構成する中栓の要部断面斜視図である。
【図７】図７は図１〜図６に示される蓋装置の構成の一部を変更させた例の一つを示した要部断面図である。
【図８】図８は図１〜図６に示される蓋装置の構成の一部を変更させた例の他の一つを示した要部断面図である。
【図９】図９は図１〜図６に示される蓋装置の構成の一部を変更させた例のさらに他の一つを示した要部断面図である。
【発明を実施するための形態】
【００１４】
以下、図１〜図９に基づいて、この発明の典型的な実施の形態について、説明する。この実施の形態にかかる蓋装置は、キャップ２を有しこのキャップ２の一部の押圧操作によってこのキャップ２を口部Ｂａに被装された容器Ｂの内容物を外部に吐出するように機能するものである。かかる蓋装置はさらに、かかる容器Ｂの口部Ｂａに嵌められる中栓１を有しており、前記キャップ２はこの中栓１の嵌められた口部Ｂａに被装されるようになっている。そして、かかる蓋装置は、前記キャップ２の一部（後述の押圧部２０３ｄ）を最初に押し込み操作するまでの間は、容器Ｂ内の空間とキャップ２内の空間とを中栓１により液密に区分するようになっている。そして、かかる蓋装置は、かかる二つの空間を前記キャップ２の最初の押し込み操作により中栓１の一部（後述の破断可能部分１３１）を破断させて連通させるようになっている。すなわち、かかる蓋装置は、中栓１を容器Ｂの口部Ｂａから取り外すことなく、キャップ２の一部の最初の押し込み操作によって、この押し込みをなせば容器Ｂの内容物を外部に吐出できる状態を作り出せる構造を備えている。
【００１５】
図示の例では、容器Ｂはその口部Ｂａをその外周に雄ねじ部Ｂｂを備えた円筒状に構成させた瓶状を呈したものとなっている。図示の例では、この口部Ｂａに蓋装置を構成する中栓１を嵌めた上でこの口部Ｂａにこの雄ねじ部Ｂｂに対応した雌ねじ部２０２を備えた蓋装置を構成するキャップ２を螺合することで、この口部Ｂａにかかるキャップ２を被装させるようになっている。そして、図示の例では、キャップ２の一部の最初の押し込み操作により前記破断を生じさせた後は、容器Ｂの口部Ｂａを下にした状態からこのキャップ２の一部を押し込むことで、液状をなす容器Ｂの内容物（図示は省略する。）がかかるキャップ２の後述する吐出部２０３ｂから外部に吐出されるようになっている。
【００１６】
中栓１は薄肉の破断可能部分１３１を備えている。図示の例では、かかる中栓１は、有底の短寸筒状部１０と、この短寸筒状部１０の上部開口を巡る外鍔１１と、この外鍔１１の突きだし端からさらに下方に突き出す周回壁部１２とを備えている。中栓１の短寸筒状部１０の外径は容器Ｂの口部Ｂａの内径と略等しくなっている。また、この短寸筒状部１０と周回壁部１２との間の間隔は容器Ｂの口部Ｂａの厚さ寸法と略等しくなっている。図示の例では、中栓１の短寸筒状部１０を、その底側から容器Ｂの口部Ｂａに対し、容器Ｂの口部Ｂａの縁部に前記外鍔１１が接する位置まではめ込むことで、かかる口部Ｂａをこの中栓１によって液密に閉塞するようになっている。この閉塞状態において容器Ｂの口部Ｂａの外側には前記周回壁部１２が位置される。
【００１７】
この実施の形態にあっては、前記破断可能部分１３１は、容器Ｂの中心軸ｘを巡り且つ溝始端と溝終端とを備えた中栓１の底部１３に形成された溝１３２となっている。図示の例では、中栓１の底部１３の上面にこのようなＣ字状の溝１３２を形成させることで中栓１に薄肉の破断可能部分１３１を形成させている。かかる溝１３２の溝始端と溝終端との間は破断不能部分１３３となっており、前記押圧部２０３ｄの押し込み操作によって容器Ｂの内方に向けて後述の連係部材２０３ｇが移動されるとこの連係部材２０３ｇにより破断可能部分１３１の内側に位置される底中央部が押されてこの底中央部と底外周部とが破断不能部分１３３を残して破断可能部分１３１において分離されるようになっている。破断可能部分１３１をこのように構成することで、その破断時にはキャップ２内の空間と容器Ｂ内の空間とを広い範囲で連通させ合わせることが可能となっている。
【００１８】
この実施の形態にあっては、かかる中栓１を、軟質の合成樹脂などの弾性変形特性を備えた材料によって構成している。そして、中栓１における破断可能部分１３１により分断される箇所の少なくとも一方が、この破断可能部分１３１の破断後にこれを閉じる位置に向けて弾性復帰するようになっている。図示の例では、前記破断不能部分１３３をいわばヒンジ部として、後述の連係部材２０３ｇによる下方への押圧が解かれると前記分断される箇所の一方となる前記底中央部は弾性復帰により破断された破断可能部分１３１を閉じる位置、つまり、この底中央部と底外周部とを同面上に位置させる位置に戻るようになっている。
【００１９】
キャップ２は、弾性変形によりキャップ２の内方に押し込み操作可能な押圧部２０３ｄと、この押圧部２０３ｄの押し込みによって容器Ｂの内容物を吐出する吐出部２０３ｂとを備えている。図示の例では、キャップ２は、かかる押圧部２０３ｄと吐出部２０３ｂとを備えた本体２０と、この本体２０の上部を解放可能に覆うカバー２１とから構成されている。
【００２０】
本体２０は、筒下端を開放させ、筒上端を閉塞させた筒状を呈するように構成されている。本体２０の筒上端と筒下端との間には、この本体２０の内部にあって下方に向いた周回段差面２０１が形成されている。本体２０の内径は、この周回段差面２０１より下方では容器Ｂの口部Ｂａの外径と略等しく、この周回段差面２０１より上方では容器Ｂの口部Ｂａの内径よりも小さくなっている。この本体２０の内部における周回段差面２０１の下方に前記雌ねじ部２０２が形成されている。図示の例では、容器Ｂの口部Ｂａに中栓１を前記のように嵌めた状態から、本体２０の筒下端よりこの本体２０の内方にこの口部Ｂａの外周に形成された雄ねじ部Ｂｂに本体２０の雌ねじ部２０２を螺合させることでこの口部Ｂａを収めるようになっている。かかる螺合の終了位置において、前記周回段差面２０１は中栓１の外鍔１１に密着し、容器Ｂの口部Ｂａの縁部Ｂｃとの間でこの外鍔１１を挟み付ける。これにより、この位置においてはキャップ２内の空間と外部とが液密に区分されるようになっている。
【００２１】
本体２０における周回段差面２０１よりも上方に、吐出部２０３ｂと押圧部２０３ｄとを備えたヘッド部２０３が形成されている。ヘッド部２０３は、基部２０３ａを有すると共に、この基部２０３ａよりも上方に押圧部２０３ｄを備えている。基部２０３ａの側部にこの側部から横向きに突き出すと共に基部２０３ａの内外を連通させる吐出管２０３ｃが設けられており、この吐出管２０３ｃが前記吐出部２０３ｂとして機能するようになっている。押圧部２０３ｄはその外径を基部２０３ａの外径よりも小さくし且つ筒上端を円板状操作部２０３ｅによって閉塞させた短寸の円筒状をなすように構成されている。この押圧部２０３ｄの筒下端と基部２０３ａの上部とは薄肉に構成された弾性変形可能部２０３ｆにより連接されている。これにより押圧部２０３ｄの上部をキャップ２の内方に向けて押し込み操作できるようになっていると共に、この押し込み操作を止めると押圧部２０３ｄは押し込み操作前の位置に復帰されるようになっている。
【００２２】
図示の例では、カバー２１は内側に本体２０のヘッド部２０３を収める大きさを持った被帽状を呈するように構成されている。図中符号２２は、このカバー２１と本体２０を連接させるヒンジ部であり、このヒンジ部２２を弾性変形させることで、カバー２１は本体２０のヘッド部２０３を覆った位置とこれを露出させた展開位置との間で回動するようになっている。
【００２３】
かかるキャップ２と中栓１との間に、押圧部２０３ｄの押し込み操作によって容器Ｂの内方に向けて移動する連係部材２０３ｇが備えられている。そして、かかる押圧部２０３ｄの最初の押し込み操作時に移動される前記連係部材２０３ｇにより前記破断可能部分１３１を破断させて容器Ｂ内の空間とキャップ２内の空間とが連通されるようになっている。
【００２４】
図示の例では、かかる連係部材２０３ｇは、上端を押圧部２０３ｄの円板状操作部２０３ｅの内面に一体に連接させると共に、そこから垂下して下端を中栓１の底部１３の前記底中央部に接しさせた長尺体２０３ｈ、図示の例では棒状体として構成されている。連係部材２０３ｇをこのように構成することで、キャップ２の押圧部２０３ｄの押し込み操作にこの連係部材２０３ｇが支障を生じさせることはなく、また、連係部材２０３ｇに所用の剛性を付与させることができる。図示の例では、かかる棒状体はその長さ方向に直交する向きの断面においてやや扁平であり、幅広側と幅狭側とを持っている。また、かかる棒状体の上端と下端との間の寸法は、押し込み操作をなす前の押圧部２０３ｄの円板状操作部２０３ｅと中栓１の底部１３の底中央部との間の距離と略一致している。
【００２５】
キャップ２の押圧部２０３ｄの最初の押し込み操作をする前は、中栓１により容器Ｂ内の空間とキャップ２内の空間とは区分され、キャップ２の吐出部２０３ｂから容器Ｂの内容物が外部に吐出されることはない。キャップ２の最初の押し込み操作をすると、容器Ｂの内方に向けて移動される連係部材２０３ｇによって中栓１の一部、図示の例では前記底部１３の前記底中央部を押圧して前記破断可能部分１３１を破断させることができる。そしてこれにより破断された破断可能部を通じて、容器Ｂ内の空間とキャップ２内の空間とを押圧部２０３ｄの機能を利用して中栓１を取り外すことなくワンタッチで連通させることができる。このようにかかる二つの空間が連通された後は、容器Ｂの口部Ｂａを下にした状態から押圧部２０３ｄを押し込み操作することで、容器Ｂ側の圧力を高くして吐出部２０３ｂから内容物を吐出させることができる。図示の例にかかる蓋装置は、典型的には、ラー油のような粘性を持った液体の容器Ｂの口部Ｂａの閉塞に用いるのに適した構成となっている。
【００２６】
この実施の形態にあっては、中栓１における破断可能部分１３１により分断される箇所の少なくとも一方、図示の例では中栓１の底部１３の前記底中央部が、この破断可能部分１３１の破断後にこれを閉じる位置に向けて弾性復帰するようになっていることから、容器Ｂ内の空間とキャップ２内の空間とを押圧部２０３ｄの機能を利用して連通させた後に中栓１にいわば弁的な機能を持たせることができ、容器Ｂの押圧部２０３ｄを押し込み操作しない限り容器Ｂの内容物がキャップ２内にできるだけ入り込まないようになっている。
【００２７】
前記連係部材２０３ｇは、図７に示されるように、中栓１の側に備えられて容器Ｂの中心軸ｘ方向に延びる長尺体２０３ｈとして構成しても良い。この例では、長尺体２０３ｈはその下端を中栓１の底部１３の前記底中央部に一体に連接させて、その上端を押圧部２０３ｄの円板状操作部２０３ｅの内面に接しさせている。
【００２８】
また、前記連係部材２０３ｇは、図８に示されるように、キャップ２及び中栓１の双方に備えるようにしても良い。この図８に示される例では、容器Ｂの円板状操作部２０３ｅの内面に上端を一体に連接させた長尺体２０３ｈの下端と、中栓１の底部１３の前記底中央部に下端を一体に連接させた長尺体２０３ｈの上端とが、キャップ２の中間位置において突き合わされるようになっている。
【００２９】
また、図示は省略するが、前記連係部材２０３ｇは、キャップ２の押圧部２０３ｄに上端を一体に連接させた長尺体２０３ｈの下端を中栓１の底部１３に一体に連接させるようにして構成させることもできる。
【００３０】
図９は、キャップ２の押圧部２０３ｄから下方に突出されている連係部材２０３ｇの下端のガイド部１３４を中栓１に設けた例を示している。この例では、中栓１の底部１３の前記底中央部に連係部材２０３ｇの下端を内側に収める周回凸条を形成させこれにより中栓１側にガイド部１３４を備えさせている。このようにしておけば、キャップ２の押圧部２０３ｄを押し込み操作したときに前記連係部材２０３ｇが必ず中栓１の所定の箇所を所定の大きさの力で下方に押圧するようにすることができ、押圧部２０３ｄの最初の押し込み操作により破断可能部分１３１を適切に破断させることが可能とされる。
【００３１】
以上に説明した例では、中栓１の底部１３の前記底中央部は破断不能部分１３３によって底周辺部とつながっているが、破断可能部分１３１を容器Ｂの中心軸ｘを巡って切れ目なく設けてもよい。このようにした場合、第一にキャップ２の押圧部２０３ｄの最初の押し込み操作により前記底中央部を底周辺部と完全に分離させることもでき、また、第二に連係部材２０３ｇの配置などを調整することで前記のように切れ目なく設けた破断可能部分１３１の一部を破断させずに残すようにすることもできる。また、図示は省略するが、前記中栓１の底部１３の前記底中央部の中心から放射状に複数の溝を設け、この溝を破断可能部分１３１とするようにしても良い。
【００３２】
この実施の形態にかかる蓋装置における弾性変形特性を有すべき箇所へのこの特性の付与は、かかる蓋装置を合成樹脂の成形品とすることで、容易に確保することができる。
【符号の説明】
【００３３】
Ｂ  容器
１  中栓
１３１  破断可能部分
２  キャップ
２０３ｂ  吐出部
２０３ｄ  押圧部
２０３ｇ  連係部材
【図１】
2011235941.tif 000003
【図２】
2011235941.tif 000004
【図３】
2011235941.tif 000005
【図４】
2011235941.tif 000006
【図５】
2011235941.tif 000007
【図６】
2011235941.tif 000008
【図７】
2011235941.tif 000009
【図８】
2011235941.tif 000010
【図９】
2011235941.tif 000011